(57)【要約】【課題】省スペースに構成できるとともに、ケース体本体とフィニッシャとを係止したケース体をパネル部材に容易に係止できる部材の係止構造及び風向調整装置を提供する。【解決手段】フィニッシャ22のフィニッシャ本体45に撓み変形可能に側部係止片部65を突設する。側部係止片部65に係止受部75を設けるとともに、係止受部75と異なる位置に撓み変形可能な係止爪部76を設ける。係止受部75をケース体本体21の爪部41に係合させるとともに、係止爪部76をパネル部材11のパネル係止受部86に係合させる。ケース体15のケース体本体21とフィニッシャ22との係止構造と、ケース体15とパネル部材11との係止構造とを側部係止片部65に集約でき、省スペースに構成できる。係止受部75と爪部41との係合と、係止爪部76とパネル係止受部86との係合とが独立し互いに干渉しないので、ケース体本体21とフィニッシャ22とを係止したケース体15をパネル部材11に容易に係止できる。【選択図】図１
2016223674.tif 000002
【特許請求の範囲】
【請求項１】
第１の部材、及びこの第１の部材に係止される第２の部材を備えた組立体と、
この組立体が係止される第３の部材とを具備した部材の係止構造であって、
前記第１の部材は、第１の係止部を備え、
前記第２の部材は、
第２の部材本体と、
前記第１の係止部と係合する一方の第２の係止部、及びこの一方の第２の係止部と異なる位置に撓み変形可能に設けられた他方の第２の係止部を有し、前記第２の部材本体に撓み変形可能に突設された第２の係止部本体とを備え、
前記第３の部材は、
前記組立体が挿入される開口部と、
この開口部に挿入された前記組立体の前記他方の第２の係止部と係合する第３の係止部を備えている
ことを特徴とする部材の係止構造。
【請求項２】
一方の第２の係止部は、第２の係止部本体にて他方の第２の係止部に対して側方に離間された位置に設けられている
ことを特徴とする請求項１記載の部材の係止構造。
【請求項３】
第２の係止部本体は、第２の部材本体にて少なくとも互いに対向する位置に設けられている
ことを特徴とする請求項１または２記載の部材の係止構造。
【請求項４】
請求項１ないし３いずれか一記載の係止構造を有し、
前記部材の係止構造の組立体は、第１の部材である筒状のケース体本体の内側を通風路とし、このケース体本体の一端側から前記通風路に導入された空調風を吹き出す他端側の外縁部に第２の部材であるフィニッシャが係止されている
ことを特徴とする風向調整装置。
【発明の詳細な説明】
【技術分野】
【０００１】
本発明は、第１の部材及びこの第１の部材と係止される第２の部材を備えた組立体と、この組立体が係止される第３の部材とを有する部材の係止構造及びこれを備えた風向調整装置に関する。
【背景技術】
【０００２】
従来、自動車などの車両に用いられる空調装置において、風を吹き出す吹出口に備えられる風向調整装置は、空調風吹出装置、エアアウトレット、ベンチレータ、レジスタなどとも呼ばれ、例えばインストルメントパネルやセンターコンソール部などの車両の被取付部に設置される。
【０００３】
このような風向調整装置は、一般に、内部を通風路とした筒状の組立体本体であるケース体本体と、このケース体本体の一端の吹出口の周囲に取り付けられる枠状のフィニッシャとを備えた組立体であるケース体に風向を制御するフィンを設け、このケース体を被取付部に開口された開口部に挿入して取り付ける。そのため、ケース体本体にフィニッシャを取り付ける係止構造と、ケース体本体を被取付部に係止する係止構造との、２つの係止構造が必要となる。
【０００４】
具体的に、例えば上下左右の壁部により囲まれたケース体本体に四角形枠状のフィニッシャを取り付ける風向調整装置において、フィニッシャの上部及び下部にそれぞれケース体本体の上側及び下側の壁部に設けた受部に対して係合される爪部を突設するとともに、ケース体本体の上側及び下側の壁部に、開口部の上下の縁部に設けた係合受部に対して係合される係合爪部を突設した構成が知られている。そして、フィニッシャをケース体本体に対して吹出口側から挿入することで爪部を撓ませ、この爪部の弾性による復帰変形によって爪部を受部に係合してケース体を構成するとともに、このケース体を開口部に空気導入口側から挿入することで係合爪部を撓ませ、この係合爪部の弾性による復帰変形によって係合爪部を係合受部に係合して風向調整装置を被取付部に取り付ける（例えば、特許文献１及び２参照。）。
【０００５】
しかしながら、上記の構成の場合には、フィニッシャとケース体本体との係止構造（爪部及び受部）と、ケース体本体と被取付部との係止構造（係合爪部及び係合受部）とが、同一面の異なる位置に配置されているので、吹出口の形状や被取付部の開口部とケース体とのクリアランスによる制約などにより、配置が難しい場合がある。
【０００６】
そこで、フィニッシャに、撓み変形可能な係合爪部を設けるとともに、この係合爪部に受部を設けて、ケース体本体に突設した爪部を受部に係合することでフィニッシャとケース体本体とを係止するとともに、係合爪部を開口部に設けた係合受部に係合させることで、ケース体を被取付部に係止する構成、すなわち上記の２つの係止構造を１つに集約した構成が知られている（例えば、特許文献３参照。）。
【０００７】
しかしながら、この構成の場合、フィニッシャをケース体本体に取り付けた状態で係合爪部に設けた受部に対してケース体本体の爪部が係合しているので、ケース体を被取付部に取り付ける際に係合爪部の撓みがケース体本体の爪部によって規制され、係合爪部を係合受部に対して係合させることが難しい場合がある。
【先行技術文献】
【特許文献】
【０００８】
【特許文献１】特開平６−６４４４３号公報  （第２頁、図４−図６）
【特許文献２】特開平８−１４６４７号公報  （第２−４頁、図１）
【特許文献３】特開２０１４−１３１８９１号公報  （第５−７頁、図３−５）
【発明の概要】
【発明が解決しようとする課題】
【０００９】
上述したように、組立体における組立体本体とフィニッシャとの係止構造と、組立体と被取付部との係止構造とを省スペースで配置し、かつ、これらの係止構造による係止を容易とすることが求められている。
【００１０】
本発明は、このような点に鑑みなされたもので、省スペースに構成できるとともに、第１の部材と第２の部材とを係止した組立体を第３の部材に容易に係止できる部材の係止構造及びこれを備えた風向調整装置を提供することを目的とする。
【課題を解決するための手段】
【００１１】
請求項１記載の部材の係止構造は、第１の部材、及びこの第１の部材に係止される第２の部材を備えた組立体と、この組立体が係止される第３の部材とを具備した部材の係止構造であって、前記第１の部材は、第１の係止部を備え、前記第２の部材は、第２の部材本体と、前記第１の係止部と係合する一方の第２の係止部、及びこの一方の第２の係止部と異なる位置に撓み変形可能に設けられた他方の第２の係止部を有し、前記第２の部材本体に撓み変形可能に突設された第２の係止部本体とを備え、前記第３の部材は、前記組立体が挿入される開口部と、この開口部に挿入された前記組立体の前記他方の第２の係止部と係合する第３の係止部を備えているものである。
【００１２】
請求項２記載の部材の係止構造は、請求項１記載の部材の係止構造において、一方の第２の係止部は、第２の係止部本体にて他方の第２の係止部に対して側方に離間された位置に設けられているものである。
【００１３】
請求項３記載の部材の係止構造は、請求項１または２記載の部材の係止構造において、第２の係止部本体は、第２の部材本体にて少なくとも互いに対向する位置に設けられているものである。
【００１４】
請求項４記載の風向調整装置は、請求項１ないし３いずれか一記載の係止構造を有し、前記部材の係止構造の組立体は、第１の部材である筒状のケース体本体の内側を通風路とし、このケース体本体の一端側から前記通風路に導入された空調風を吹き出す他端側の外縁部に第２の部材であるフィニッシャが係止されているものである。
【発明の効果】
【００１５】
請求項１記載の部材の係止構造によれば、第２の部材の第２の部材本体に撓み変形可能に突設した第２の係止部本体に設けた一方の第２の係止部を第１の部材の第１の係止部に係合させるとともに、第２の係止部本体にて一方の第２の係止部と異なる位置に設けた撓み変形可能な他方の第２の係止部を第３の部材の第３の係止部に係合させることで、組立体の第１の部材と第２の部材との係止構造と、組立体と第３の部材との係止構造とを第２の係止部本体に集約でき、省スペースに構成できるとともに、一方の第２の係止部と第１の係止部との係合と、他方の第２の係止部と第３の係止部との係合とが独立して行われ互いに干渉しないので、第１の部材と第２の部材とを係止した組立体を第３の部材に容易に係止できる。
【００１６】
請求項２記載の部材の係止構造によれば、請求項１記載の部材の係止構造の効果に加え、一方の第２の係止部を、第２の係止部本体にて他方の第２の係止部に対して側方に離間した位置に設けることで、より限定されたスペースでの第１ないし第３の部材の係止が可能となる。
【００１７】
請求項３記載の部材の係止構造によれば、請求項１または２記載の部材の係止構造の効果に加え、第２の係止部本体を、第２の部材本体にて少なくとも互いに対向する位置に設けることで、より省スペース化できるとともに、第１の部材と第２の部材との係止と、組立体と第３の部材との係止とを、より確実にできる。
【００１８】
請求項４記載の風向調整装置によれば、請求項１ないし３いずれか一記載の係止構造を備えることで、ケース体本体に対してフィニッシャを係止するとともに、これらケース体本体とフィニッシャとを係止した組立体をパネル部材に係止する風向調整装置を小型に形成できる。
【図面の簡単な説明】
【００１９】
【図１】本発明の部材の係止構造及び風向調整装置の第１の実施の形態の第１の部材に対する第２の部材の取り付け作業を（ａ1）（ｂ1）の順に示す図２（ａ）のＩ−Ｉ相当位置に対応する断面図、及び組立体の第３の部材への取り付け作業を（ａ2）（ｂ2）の順に示す図２（ａ）のII−II相当位置に対応する断面図である。
【図２】同上第１の部材に対する第２の部材の取り付け作業を（ａ）（ｂ）の順に示す斜視図である。
【図３】同上風向調整装置の分解斜視図である。
【図４】同上風向調整装置を備えた車室内の一部を示す斜視図である。
【図５】本発明の部材の係止構造及び風向調整装置の第２の実施の形態の第１の部材に対する第２の部材の取り付け作業を（ａ1）（ｂ1）の順に示す図６（ａ）のIII−III相当位置に対応する断面図、及び組立体の第３の部材への取り付け作業を（ａ2）（ｂ2）の順に示す図６（ａ）のIV−IV相当位置に対応する断面図である。
【図６】同上第１の部材に対する第２の部材の取り付け作業を（ａ）（ｂ）の順に示す斜視図である。
【発明を実施するための形態】
【００２０】
以下、本発明の部材の係止構造及び風向調整装置の第１の実施の形態を図面を参照して説明する。
【００２１】
図４において、10は風向調整装置で、この風向調整装置10は、ルーバ装置あるいはベンチレータなどとも呼ばれ、例えば自動車の被取付部としてのインストルメントパネルなどのパネル部材11に取り付けられ、空調装置に接続されて、車室内に風を吹き出し、空調を行う車両用空調装置を構成している。なお、以下、前後方向、左右方向及び上下方向については、風向調整装置10をパネル部材11として前席前方のインストルメントパネルに取り付けた状態での自動車の前後方向、左右方向及び上下方向を基準として説明する。
【００２２】
そして、この風向調整装置10は、図１などに示す組立体であるケース体15と、このケース体15に配置された図４に示すルーバ16とを備え、図１に示すように、パネル部材11に開口された開口部17にケース体15が挿入されて取り付けられている。なお、車室の左側に配置された風向調整装置10と、車室の右側に配置された風向調整装置10とは、基本的に左右対称となっているため、本実施の形態では一方の風向調整装置10についてのみ説明し、他方の風向調整装置10については説明を省略する。
【００２３】
ケース体15は、例えば合成樹脂などによって角筒状に形成された第１の部材としての組立体本体であるケース体本体21と、このケース体本体21の後端部に取り付けられる第２の部材としての意匠部材である角筒状（四角形枠状）のフィニッシャ22とを備えている。また、このケース体15（ケース体本体21）の内側は、通風路26となっているとともに、前側が空調装置のエアダクトに接続されて空調風が挿入される導入口である接続口27（図３）、後側（後端）がフィニッシャ22により区画されて空調風が吹き出す吹出口28となっている。
【００２４】
ケース体本体21は、基本的に撓み変形しない剛性部材であり、開口部17に挿入されてパネル部材11の内部に収納される部分である。このケース体本体21は、図３に示すように、吹出口28を挟んで互いに対向する（第１の）一対の壁部である例えば上下の壁部31，32と、吹出口28を挟んでこれら壁部31，32と交差（直交）する方向に互いに対向する（第２の）一対の壁部である例えば左右の壁部33，34とを備えている。そして、このケース体本体21のフィニッシャ22側である後端部（吹出口28）の内縁部には、図１に示すように、ケース体本体21に対するフィニッシャ22の前後方向（ケース体15（ケース体本体21）の軸方向）の位置を規制する四角形枠状のスペーサ35が取り付けられている。
【００２５】
図３に示すように、上側の壁部31は、一側である左側から他側である右側へと下方に傾斜して形成されている。この上側の壁部31には、後端部に、フィニッシャ22を係止保持する第１の係合部としての第１の係合爪部である上部係合爪部37が上方に向けて突設されている。この上部係合爪部37は、上側の壁部31において、例えば左右（吹出口28の外周方向）に離間されて一対設けられている。そして、これら上部係合爪部37の左右両側部及び前部は、上方から見た平面視でＵ字リブ状の本体上部規制部38により囲まれている。
【００２６】
下側の壁部32には、後端部に、フィニッシャ22を固定するための第１の固定部としての固定ブラケット39が下方に向けて突設されている。この固定ブラケット39には、フィニッシャ22をケース体本体21に対してビスなどの図示しない固定部材により固定するための通孔39aが例えば上下方向に長孔状に開口されている。
【００２７】
左側の壁部33には、後端部に、フィニッシャ22を係止保持する第２の係合部としての第２の係合爪部である図示しない側部係合爪部が、例えば上下に離間されて一対設けられている。そして、これら側部係合爪部の上下両側部及び前部は、側面視でＵ字リブ状の図示しない本体側部規制部により囲まれている。
【００２８】
右側の壁部34は、吹出口28を挟んで反対側の左側の壁部33に対して略平行に形成されているとともに、この左側の壁部33に対して上下方向の寸法が短く設定されている。したがって、吹出口28は、略台形状となっている。また、この右側の壁部34には、後端部に、フィニッシャ22を係止保持する第１の係止部としての爪部41が突設されている。この爪部41は、本実施の形態では、上下（吹出口28の外周方向）に互いに離間されて一対配置されている。また、これら爪部41は、右側の壁部34の上下方向の略中心位置を挟んで配置されている。そして、これら爪部41の上下両側部及び前部は、側面視でＵ字リブ状の第１の規制部としての規制壁部42により囲まれている。さらに、右側の壁部34には、各爪部41と規制壁部42との間を連続して、補強用の補強部であるリブ43が設けられている。
【００２９】
爪部41は、右側の壁部34に対して右方、すなわち吹出口28と反対側へと山状に突設されている。また、これら爪部41の背面側には、スペーサ35（図１）が配置されている。
【００３０】
フィニッシャ22は、ガーニッシュとも呼ばれるもので、開口部17に挿入されずにパネル部材11の後部に露出して風向調整装置10（図１）の意匠面となる第２の部材本体としてのフィニッシャ本体45と、このフィニッシャ本体45から前方へと突設されて開口部17に挿入される突出部46とを一体的に備えている。
【００３１】
フィニッシャ本体45は、吹出口28を挟んで互いに対向する（第１の）一対の辺部である例えば上下のフィニッシャ壁部51，52と、吹出口28を挟んでこれらフィニッシャ壁部51，52と交差（直交）する方向に互いに対向する（第２の）一対の辺部である例えば左右のフィニッシャ壁部53，54とを備える四角形枠状に形成されており、これらフィニッシャ壁部51〜54により中央部に吹出口28を区画している。また、フィニッシャ本体45は、外縁部が開口部17の内縁部と当接する意匠部55と、この意匠部55と連続し吹出口28から風下側である後側へと拡開状に傾斜する導風部56とがフィニッシャ壁部51〜54に亘って形成されている。そして、導風部56のケース体本体21に対向する前部が、ケース体本体21の後端部（スペーサ35（図１））と当接する当接部57となっている。
【００３２】
上側のフィニッシャ壁部51は、ケース体本体21の上側の壁部31と同様に、一側である左側から他側である右側へと下方に傾斜して形成されている。
【００３３】
下側のフィニッシャ壁部52には、ケース体本体21の固定ブラケット39と固定部材により固定するための第２の固定部としてのブラケット部59が下方に向けて突設されている。このブラケット部59には、通孔39aと連通されて固定部材が挿入される挿入孔59aが例えば上下方向に長孔状に開口されている。
【００３４】
左側のフィニッシャ壁部53には、ルーバ16の一部を回動操作するための操作部としてのダイヤル60（図４）が嵌合する開口部61が、例えば上下方向（吹出口28の外周に沿う方向）に長手状に開口されている。
【００３５】
右側のフィニッシャ壁部54は、吹出口28を挟んで反対側の左側のフィニッシャ壁部53に対して略平行に形成されているとともに、この左側のフィニッシャ壁部53に対して上下方向の寸法が短く設定されている。
【００３６】
突出部46は、フィニッシャ本体45の導風部56の外方、すなわち導風部56に対して吹出口28と反対側に位置している。この突出部46は、フィニッシャ本体45の上側のフィニッシャ壁部51から前方に向けて突設された第２の係合部本体としての上部係合片部62と、下側のフィニッシャ壁部52から突設されブラケット部59と導風部56とを連続する補強用の補強リブ63と、左側のフィニッシャ壁部53から前方に向けて突設された第２の係合部本体としての側部係合片部64と、右側のフィニッシャ壁部54から前方に向けて突設された第２の係止部本体としての側部係止片部65とを備えている。また、この突出部46は、フィニッシャ本体45の上側のフィニッシャ壁部51、ブラケット部59、左側のフィニッシャ壁部53及び右側のフィニッシャ壁部54からそれぞれ前方に向けて突設された位置決め部としての位置決め突部67と、上部係合片部62、側部係止片部65及び右側の位置決め突部67を挟む位置にそれぞれ突設された位置決め部としての位置決め片部68とを備えている。
【００３７】
上部係合片部62は、ケース体本体21の本体上部規制部38にそれぞれ挿入されてフィニッシャ22をケース体本体21に対して左右方向に位置決めするもので、上側のフィニッシャ壁部51に例えば一対配置されている。これら上部係合片部62は、上側のフィニッシャ壁部51において、左右（吹出口28の外周方向）に互いに離間されて一対配置されている。また、これら上部係合片部62は、上側のフィニッシャ壁部51の左右方向の略中心位置を挟んで両側に配置されている。さらに、これら上部係合片部62は、板状に形成されており、フィニッシャ本体45に対して、厚み方向である上下方向に撓み変形可能となっている。そして、各上部係合片部62には、それぞれケース体本体21の上部係合爪部37と係合する第２の係合部としての上部係合受部71が角孔状に開口されている。
【００３８】
補強リブ63は、例えば下側のフィニッシャ壁部52の左右方向に互いに離間されて複数設けられている。
【００３９】
側部係合片部64は、ケース体本体21の本体側部規制部にそれぞれ挿入されてフィニッシャ22をケース体本体21に対して上下方向に位置決めするもので、左側のフィニッシャ壁部53に例えば一対配置されている。これら側部係合片部64は、左側のフィニッシャ壁部53において、上下（吹出口28の外周方向）に互いに離間されて一対配置されている。また、これら側部係合片部64は、左側のフィニッシャ壁部53の上下方向の略中心位置を挟んで両側に配置されている。さらに、これら側部係合片部64は、板状に形成されており、フィニッシャ本体45に対して、厚み方向である左右方向に撓み変形可能となっている。そして、各側部係合片部64には、それぞれケース体本体21の側部係合爪部と係合する第２の係合部としての側部係合受部73が角孔状に開口されている。
【００４０】
側部係止片部65は、ケース体本体21の規制壁部42に挿入されてフィニッシャ22をケース体本体21に対して上下方向に位置決めするもので、右側のフィニッシャ壁部54に例えば１つ配置されている。この側部係止片部65は、右側のフィニッシャ壁部54の上下方向の略中心位置に配置されている。さらに、この側部係止片部65は、板状に形成されており、フィニッシャ本体45に対して、厚み方向である左右方向に撓み変形可能となっている。そして、この側部係止片部65には、ケース体本体21の爪部41と係合する一方の第２の係止部としての係止受部75と、パネル部材11と係合する他方の第２の係止部としての係止爪部76とがそれぞれ設けられている。
【００４１】
係止受部75は、引っ掛け穴などとも呼ばれ、側部係止片部65の上下の縁部、すなわち外縁部近傍に配置されており、本実施の形態では、側部係止片部65にて係止爪部76を挟んでこの係止爪部76の側方、すなわち係止爪部76の上下両側にそれぞれ角孔状に開口されている。したがって、これら係止受部75は、互いに上下（吹出口28の外周方向）に離間されているとともに、係止爪部76に対しても上下（吹出口28の外周方向）に離間されている。
【００４２】
係止爪部76は、嵌合爪、あるいは撓み爪などとも呼ばれ、側部係止片部65の先端側、すなわち前端側に位置しており、側部係止片部65の上下方向の略中央部に位置している。この係止爪部76は、側部係止片部65の先端側に切り欠き形成された嵌合開口部78内に嵌合して位置しており、基端側が側部係止片部65と連続し、他端側が嵌合開口部78内で自由端状に位置している。したがって、この係止爪部76は、側部係止片部65に対して厚み方向である左右方向に撓み変形可能に配置されている。そして、この係止爪部76は、右側、すなわち吹出口28と反対側に向けて山状に突設されている。すなわち、この係止爪部76は、爪部41と同方向に突設されている。また、嵌合開口部78は、例えば四角形枠状の枠部79によって周囲が囲まれている。そして、この枠部79の先端部は、側部係止片部65の先端部に対して前方に突出している。
【００４３】
位置決め突部67及び位置決め片部68は、ケース体本体21にフィニッシャ22を取り付けたケース体15（風向調整装置10（図１））をパネル部材11に対して位置決めするものである。そして、位置決め突部67は、基端側である後部から先端側である前部へと徐々に細くなるように形成されている。また、位置決め片部68は、板状に形成されている。
【００４４】
一方、図４に示すルーバ16は、本実施の形態において、例えば通風路26を通過する空気の流れと交差する上下方向（垂直方向）に沿う第１のルーバとしての風上側ルーバである図示しない縦ルーバと、通風路26（図１）を通過する空気の流れと交差する左右方向に沿う第２のルーバとしての風下側ルーバである横ルーバ82とがそれぞれ設定されている。そして、これら縦ルーバ及び横ルーバ82は、例えば本実施の形態ではケース体15（図１）に対して回動可能に軸支されており、縦ルーバは、横ルーバ82に設けられた操作ノブ83を介して回動操作可能であり、横ルーバ82は、上記のダイヤル60の回動操作によって回動操作可能となっている。縦ルーバ及び横ルーバ82は、吹出口28に臨んでおり、この吹出口28の形状に応じて、例えば単数、あるいは複数設定される。
【００４５】
また、パネル部材11は、例えば合成樹脂などにより形成された第３の部材としての剛性部材であり、乗員側に露出する第３の部材本体としてのパネル部材本体85と、このパネル部材本体85に開口された開口部17と、この開口部17の内方にてパネル部材本体85に設けられた第３の係止部としてのパネル係止受部86（図１）とを備えている。そして、このパネル部材11は、本実施の形態では、図１に示すように、例えば後部に位置してパネル意匠部となるアウタ部材88と、このアウタ部材88の背後である前部に位置するインナ部材89とを一体的に成形して構成されている。
【００４６】
パネル部材本体85は、面状に広がって設けられている。また、このパネル部材本体85の開口部17の外縁部には、この開口部17と連通しフィニッシャ22が嵌合する凹部91が設けられている。この凹部91には、フィニッシャ22の位置決め突部67及び位置決め片部68が挿入される図示しない挿入開口部が開口されている。
【００４７】
開口部17は、ケース体15のケース体本体21の少なくとも後端部側を挿通可能に形成されており、例えば左側よりも右側が上下方向に狭い四角形状（台形状）となっている。
【００４８】
パネル係止受部86は、フィニッシャ22をケース体本体21に係止したケース体15のケース体本体21の係止爪部76と係合する部分であり、開口部17に対して前方に離間された位置に延出している。このパネル係止受部86は、本実施の形態では、例えばインナ部材89により形成され、前後方向に沿って延びている。そして、このパネル係止受部86は、ケース体本体21の爪部41、フィニッシャ22の係止受部75，75及び係止爪部76を備える側部係止片部65とともに、ケース体本体21とフィニッシャ22とパネル部材11との３つの部材を互いに係止する係止構造93を構成している。
【００４９】
そして、図１ないし図４に示すように、風向調整装置10を組み立てる際には、概略として、予め形成したケース体本体21に対して、ルーバ16（縦ルーバ及び横ルーバ82）を回動可能に取り付けるとともに、縦ルーバあるいは横ルーバ82が複数ある場合にはこれらをそれぞれ連結した後、このケース体本体21とは別個に予め形成したフィニッシャ22をケース体本体21に対して取り付けて構成したケース体15を、パネル部材11の開口部17に嵌め込む。
【００５０】
より詳細には、まず、ルーバ16を取り付けたケース体本体21の後端部に、フィニッシャ22を、上部係合片部62，62（上部係合受部71，71）を本体上部規制部38，38（上部係合爪部37，37）と、側部係合片部64，64（側部係合受部73，73）を本体側部規制部（側部係合爪部）と、側部係止片部65（係止受部75，75）を規制壁部42（爪部41，41）と、それぞれ位置合わせしながら接近させ、フィニッシャ22をケース体本体21に対して前方へと押し込む（図３）。
【００５１】
すると、上部係合片部62，62が本体上部規制部38，38内の上部係合爪部37，37により上方へと押されて撓みつつ上部係合爪部37，37に沿って前方へと摺動し、上部係合爪部37，37が上部係合受部71，71の位置となると上部係合片部62，62が復帰変形し、上部係合受部71，71に上部係合爪部37，37が挿入されて係合する。
【００５２】
同様に、側部係合片部64，64が本体側部規制部内の側部係合爪部により側方へと押されて撓みつつ側部係合爪部に沿って前方へと摺動し、側部係合爪部が側部係合受部73，73の位置となると側部係合片部64，64が復帰変形し、側部係合受部73，73に側部係合爪部が挿入されて係合する。
【００５３】
さらに、側部係止片部65が規制壁部42内の爪部41，41により側方へと押されて撓みつつ爪部41，41に沿って前方へと摺動し、爪部41，41が係止受部75，75の位置となると側部係止片部65が復帰変形し、係止受部75，75に爪部41，41が挿入されて係合する（図１（ａ1）、図１（ｂ1）、図２（ａ）及び図２（ｂ））。
【００５４】
この状態で、上部係合片部62，62が本体上部規制部38，38内に嵌合し、側部係合片部64，64が本体側部規制部内に嵌合する（図３）とともに、側部係止片部65が規制壁部42内に位置して、係止爪部76が規制壁部42内にて撓み変形可能に位置し、かつ、枠部79の先端側が規制壁部42から前方に延出し（図２（ｂ））、固定ブラケット39とブラケット部59とが前後に重ねられる（図３）。
【００５５】
この後、固定ブラケット39の通孔39aとブラケット部59の挿入孔59a（図３）とに固定部材を挿入して固定することで、ルーバ16（図４）が備えられたケース体15が完成する。
【００５６】
そして、このように形成したケース体15を、例えばケース体本体21の前端部からパネル部材11の開口部17へと、位置決め突部67及び位置決め片部68をそれぞれパネル部材11の挿入開口部と位置合わせしつつ、このパネル部材11の後方から挿入して前方へと押し込む。
【００５７】
すると、位置決め突部67及び位置決め片部68がそれぞれ挿入開口部に押し込まれるとともに、ケース体15のフィニッシャ22の係止爪部76がパネル係止受部86により吹出口28側へと押される。このとき、係止爪部76は、規制壁部42内で自由に撓み変形するので、吹出口28側（左側）へと撓みつつパネル係止受部86に沿って前方へと摺動し、係止爪部76がパネル係止受部86の先端部（前端部）の位置となると係止爪部76が復帰変形し、パネル係止受部86の先端部に係止爪部76が係合する（図１（ａ2）及び図１（ｂ2））。
【００５８】
なお、開口部17の形状によっては、ケース体本体21の後端部を開口部17から後方へと引き出し、この引き出したケース体本体21の後端部にフィニッシャ22を取り付けてケース体15を構成した後、このケース体15を前方へと押し込んでフィニッシャ22をパネル部材11に固定してもよい。
【００５９】
このように、ケース体15（風向調整装置10）は、パネル部材11の開口部17に対して押圧するだけで、パネル部材11に対してワンタッチで容易に取り付けられる。このパネル部11に取り付けられたケース体15は、接続口27を空調装置に対して気密に接続する。
【００６０】
そして、完成した風向調整装置10は、空調装置から供給された空調風が接続口27からケース体15の内部の通風路26へと導入され、この通風路26を通過して吹出口28から乗員側、すなわち車室内に吹き出され、必要に応じてルーバ16を回動操作することで、吹出口28から吹き出される空調風の風向を上下方向または左右方向に調整する。
【００６１】
このように、本実施の形態によれば、フィニッシャ22のフィニッシャ本体45に撓み変形可能に突設した側部係止片部65に設けた係止受部75をケース体本体21の爪部41に係合させるとともに、側部係止片部65にて係止受部75と異なる位置に設けた撓み変形可能な係止爪部76をパネル部材11のパネル係止受部86に係合させることで、ケース体15のケース体本体21とフィニッシャ22との係止構造と、ケース体15とパネル部材11との係止構造とを側部係止片部65に集約でき、省スペースに構成できる。また、側部係止片部65にて係止受部75と係止爪部76との位置が異なるので、係止受部75と爪部41との係合と、係止爪部76とパネル係止受部86との係合とが独立して行われ互いに干渉しない、換言すれば係止受部75と爪部41との係合が係止爪部76とパネル係止受部86との係合、すなわち係止爪部76の撓み変形を妨げないので、限られた取付空間であっても、ケース体本体21とフィニッシャ22とを係止したケース体15を、パネル部材11に容易に係止できるとともに、一旦係止すると取付空間が狭いことから互いに外れにくくなり、確実に係止できる。
【００６２】
また、係止受部75を、側部係止片部65にて係止爪部76に対して側方、すなわち吹出口28の外周方向に離間した位置に設けることで、より限定されたスペースでのケース体本体21、フィニッシャ22及びパネル部材11の係止が可能となる。
【００６３】
そして、風向調整装置10は、上記の係止構造93を備えることで、ケース体本体21に対してフィニッシャ22を係止するとともに、これらケース体本体21とフィニッシャ22とを係止したケース体15をパネル部材11に係止する風向調整装置10を小型に形成できる。したがって、吹出口28の形状やパネル部材11の開口部17とケース体15とのクリアランスなどレイアウトによる制約が大きい場合であっても対応できる風向調整装置10を提供できる。
【００６４】
次に、第２の実施の形態を図５及び図６を参照して説明する。なお、上記第１の実施の形態と同様の構成及び作用については、同一符号を付してその説明を省略する。
【００６５】
この第２の実施の形態は、上記の第１の実施の形態の爪部41及び規制壁部42に代えて、図６（ａ）及び図６（ｂ）に示すように、ケース体本体21に第１の係止部としてのトンネル状の本体係止受部95が設けられているとともに、フィニッシャ22の側部係止片部65において、係止受部75に代えて、一方の第２の係止部としての側部係止爪部96が側部係止片部65の上下両側部に突設され、かつ、側部係止片部65の嵌合開口部78が側部係止片部65の先端側の外部と連通せず、側部係止片部65の内部に開口されているものである。
【００６６】
本体係止受部95は、側部係止片部65を挿入可能な挿入開口98を備えており、ケース体本体21の例えば右側の壁部34の後端部に位置している。したがって、挿入開口98は、本体係止受部95を前後方向に貫通して設けられている。
【００６７】
側部係止片部65は、嵌合開口部78により枠状に形成されており、嵌合開口部78の上下両側部の互いに対向する細長い辺部65a，65aの位置に、側部係止爪部96，96がそれぞれ突設されている。したがって、側部係止爪部96，96は、係止爪部76を挟んで上下両側に位置するとともに、互いに上下に離間されて位置し、係止爪部76の基端側である後端側の側部に配置されている。そして、この側部係止爪部96，96は、側部係止片部65の辺部65a，65aが嵌合開口部78によって側部係止片部65の内方すなわち上下方向の中心側へと撓み変形可能であることにより、これら辺部65a，65aの弾性によって、ケース体本体21に対するフィニッシャ22の押し込み方向（取り付け方向）及び係止爪部76の撓み変形方向と交差（直交）する上下方向に撓み変形可能となっている。
【００６８】
そして、風向調整装置10を組み立てる際には、ルーバ16を取り付けたケース体本体21の後端部に、フィニッシャ22を、上部係合片部62，62（上部係合受部71，71）を本体上部規制部38，38（上部係合爪部37，37）と、側部係合片部64，64（側部係合受部73，73）を本体側部規制部（側部係合爪部）と、側部係止片部65を本体係止受部95（挿入開口98）と、それぞれ位置合わせしながら接近させ、フィニッシャ22をケース体本体21に対して前方へと押し込む。
【００６９】
すると、上記の第１の実施の形態と同様の作用により、上部係合受部71，71に上部係合爪部37，37が挿入されて係合し、側部係合受部73，73に側部係合爪部が挿入されて係合する。また、側部係止片部65は、本体係止受部95の挿入開口98に挿入されると、係止爪部76が挿入開口98により側方へと押されて撓みつつ挿入開口98を通過して復帰変形した後、側部係止爪部96，96が挿入開口98に挿入され、辺部65a，65aが嵌合開口部78側に撓むことで側部係止爪部96，96が挿入開口98により側方へと押されて撓みつつ挿入開口98を通過して復帰変形することで、本体係止受部95の前部に係合する（図５（ａ1）、図５（ｂ1）、図６（ａ）及び図６（ｂ））。
【００７０】
この状態で、上部係合片部62，62が本体上部規制部38，38内に嵌合し、側部係合片部64，64が本体側部規制部内に嵌合するとともに、係止爪部76が本体係止受部95の前方に撓み変形可能に位置するので、前後に重ねられた固定ブラケット39とブラケット部59とを固定部材により固定して、ルーバ16が備えられたケース体15が完成する。
【００７１】
そして、このように形成したケース体15を、例えばケース体本体21の前端部からパネル部材11の開口部17へと、位置決め突部67及び位置決め片部68をそれぞれパネル部材11の挿入開口部と位置合わせしつつ、このパネル部材11の後方から挿入して前方へと押し込むことで、上記の第１の実施の形態と同様の作用により、ケース体15（風向調整装置10）がパネル部材11に対してワンタッチで容易に取り付けられる（図５（ａ2）及び図５（ｂ2））。
【００７２】
このように、フィニッシャ22のフィニッシャ本体45に撓み変形可能に突設した側部係止片部65に撓み変形可能に設けた側部係止爪部96，96をケース体本体21の本体係止受部95に係合させるとともに、側部係止片部65にて側部係止爪部96，96と異なる位置に設けた撓み変形可能な係止爪部76をパネル部材11のパネル係止受部86に係合させるなど、上記の第１の実施の形態と同様の構成を有するとともに、側部係止爪部96，96と係止爪部76との変形方向が互いに交差（直交）して干渉しないことにより、上記の第１の実施の形態と同様の作用効果を奏することができる。
【００７３】
また、ケース体本体21の本体係止受部95に設けた挿入開口98に側部係止片部65を挿入するとこの挿入開口98の縁部に側部係止爪部96が係合する構成であるため、側部係止爪部96を係止爪部76に対してより接近させた位置に設けることができ、本体係止受部95及び側部係止片部65をより小型に形成でき、より狭いレイアウトに対応した係止構造93とすることができる。
【００７４】
なお、上記の各実施の形態において、係止構造93は、ケース体15の側部だけでなく、上部や下部などに設定することもできる。例えば、側部係止片部65を、フィニッシャ本体45にて少なくとも互いに対向する位置、すなわち吹出口28側に対向する位置、換言すれば左右両側や上下などに設けることもできる。この場合には、その他の係止構造を用いる場合と比較して、より省スペース化できるとともに、ケース体本体21とフィニッシャ22との係止と、ケース体15とパネル部材11との係止とを、より確実にできる。
【００７５】
また、係止構造93は、風向調整装置10だけでなく、例えば車両のパネル部材に埋め込んで配置される、オーディオ装置などの車両用の任意の装置に適用できる。本発明の組立体とは、上記の各実施の形態において、ケース体として説明しているが、筒状のケース体に限定されず、装飾部材としてのフィニッシャを備えたリッド体などでもよく、その他の構造体であってもよい。要するに、第１の部材及びこの第１の部材に係止される第２の部材を備えた組立体を第３の部材に係止する任意の係止構造として用いることができるものであればよい。同様に、この係止構造93は、車両用でなくても、第１の部材及びこの第１の部材に係止される第２の部材を備えた組立体を第３の部材に係止する任意の係止構造として用いることができる。
【産業上の利用可能性】
【００７６】
本発明は、例えば、自動車のインストルメントパネルなどに備えられる空調装置の風向調整装置として適用できる。
【符号の説明】
【００７７】
10    風向調整装置
11    第３の部材としてのパネル部材
15    組立体であるケース体
17    開口部
21    第１の部材としてのケース体本体
22    第２の部材としてのフィニッシャ
26    通風路
41    第１の係止部としての爪部
45    第２の部材本体としてのフィニッシャ本体
65    第２の係止部本体としての側部係止片部
75    一方の第２の係止部としての係止受部
76    他方の第２の係止部としての係止爪部
86    第３の係止部としてのパネル係止受部
93    係止構造
95    第１の係止部としての本体係止受部
96    一方の第２の係止部としての側部係止爪部
【図１】
2016223674.tif 000003
【図２】
2016223674.tif 000004
【図３】
2016223674.tif 000005
【図４】
2016223674.tif 000006
【図５】
2016223674.tif 000007
【図６】
2016223674.tif 000008